(57)【特許請求の範囲】
【請求項１】
筒状の支持体と、
その支持体が嵌り込む嵌入孔を上方側に有し、その嵌入孔に連通するシール部材を内方側に有するブラケットとを含む、ブラケットを備えた表示灯であって、
前記ブラケットは、前記筒状の支持体を直立させた直立状態と、前記筒状の支持体を傾倒させた傾倒状態の少なくとも２つの状態に設定できる構造を有し、
更に、前記シール部材は、単一の部材であって、前記ブラケットの嵌入孔に嵌挿され、前記筒状の支持体の下方端と当接するように配置される上端部と、その上端部から下方側へ屈曲部を介して連設され、前記ブラケットの基台の底面に沿って配置される下端部とを有することを特徴とする、ブラケットを備えた表示灯。
【請求項２】
前記シール部材の前記上端部は、真上から見たときに、上面部に円環状の突条部を有し、前記シール部材の前記下端部は、前記ブラケットの前記基台が外部の固体と当接するように取り付けられたときに、前記シール部材の前記下端部が、前記ブラケットの前記基台に覆われるようにその基台の底面に沿って配置されることを特徴とする請求項１記載の、ブラケットを備えた表示灯。
【請求項３】
前記シール部材は、前記ブラケットを前記筒状の支持体が前記直立状態から前記傾倒状態へ変化させたときに、傾倒方向に屈曲するような中空の筒体であることを特徴とする請求項１又は２記載の、ブラケットを備えた表示灯。
【請求項４】
前記中空の筒体は、前記筒状の支持体が前記直立状態から前記傾倒状態へ変化するときに屈曲する前記屈曲部に蛇腹構造を有することを特徴とする請求項３記載の、ブラケットを備えた表示灯。
【発明の詳細な説明】
【技術分野】
【０００１】  本発明は、表示灯を外部の装置や機構物等の固体に対して傾倒可能に設置できる、ブラケットを備えた表示灯に関する。
【背景技術】
【０００２】  従来、信号灯本体を備える表示灯を、外部の装置や機構物等の固体に対して傾倒可能に設置することにより、装置本体の搬送作業の容易性を確保できる構造として、例えば表示灯と設置先の固体との間に所望の傾倒機構を有するブラケットを介在させる構造が知られていた。【０００３】  例えば、長手の信号灯本体と、その信号灯本体を外部の装置の取付面に対して、起立した状態で取り付けるために信号灯本体の一方端に連結される取付台を備える技術が知られている（例えば、特許文献１参照）。【０００４】  次に、その構成を、図７（ａ）〜（ｃ）を参照して説明する。【０００５】  図７（ａ）は、従来の信号灯１０１の信号灯本体１０２が図示しない取付面に起立した状態を示す外観図で、図７（ｂ）は、信号灯本体１０２が倒れた状態を示す外観図で、図７（ｃ）は、図７（ａ）の中央部縦断側面図であって信号灯本体１０２と取付台１０３との連結部を拡大して示した図である。【０００６】  ここで、信号灯本体１０２は、つまみ付きねじ１１９によって取付台１０３に回動可能に連結され、使用時においては図７（ａ）のように起立した状態とする一方、外部の装置搬送時においては図７（ｂ）のように倒した状態に設定される。【０００７】  このように、信号灯本体１０２は、取付面に平行に延びるつまみ付きねじ１１９によって取付台１０３に対して回動可能に連結されている。【０００８】  ここで、取付台１０３は、つまみ付きねじ１１９を移動可能に受入れるための長穴１１８を有し、長穴１１８は、取付面と交差する方向に延びる。【０００９】  この構成により、搬送時には信号灯本体１０２が使用時の起立状態となるよう取付台１０３に締め付けられたつまみ付きねじ１１９を一旦ゆるめ、信号灯本体１０２を上方に持ち上げた後、更に信号灯本体１０２を右側に９０度倒した状態にする。【００１０】  そして、つまみ付きねじ１１９を長穴１１８の上方に移動し、信号灯本体１０２の傾倒後に再度締め付けることにより、その傾倒状態が維持される。【００１１】  このように、一時的に傾倒状態が確保されることにより、装置搬送時において信号灯本体１０２が誤って建家の搬出入口やクレーンなど運搬荷役機械との衝突等の原因による破損や脱落などの事態を回避できる。【００１２】  また、表示灯本体の内部に配置された電力信号の配電基板に、外部の装置から取付具を介し、更にガイド体内を通して複数の配線が引き込まれて接続される構成も知られている（例えば、特許文献２参照）。【００１３】  さらに、台座内に回動可能な回動部材を収容し、表示体本体を所定の角度に任意設定して表示灯を傾倒できる構成も知られている（例えば、特許文献３参照）。
【先行技術文献】
【特許文献】
【００１４】
【特許文献１】  公開実用新案平７−３６３１６号公報
【特許文献２】  特開２００９−２６６１０号公報
【特許文献３】  特開２０１４−１５７７３７号公報
【発明の概要】
【発明が解決しようとする課題】
【００１５】  しかしながら、前述した従来の構成では、信号灯１０１の信号灯本体１０２が起立した状態及び傾倒した状態のいずれかの状態においても、信号灯１０１を支持する筒状の支持体であるアタッチメント１０９の中空を介して外部の装置から配線を導入・接続しようとした場合に、その配線の露出（あらわになり、外環境の影響を受け易い状態であること）は避けられない。【００１６】  つまり、配線経路における露出部（配線経路と外部空間を連通する隙間）から信号灯本体１０２内又は外部の装置の本体内へ水や油などの液体や塵埃が侵入するのを防止できない、すなわちシール性（封止性）を十分に確保できないという課題があった。【００１７】  また、特許文献２記載の構成では、表示灯本体が９０度の範囲で傾倒するように、表示灯本体の底面部と側面部をつなぐ角部には長孔（配線経路と外部が連通する隙間）が連続形成されており、その長孔の内周側に当接しながらガイド体がスライドする構成である。【００１８】  したがって、長孔にはガイド体が摺動する範囲に相当する隙間が存在し、その隙間は配線経路と外部空間とを連通するため、外部から表示灯本体内へ水や油などの液体や塵埃が侵入することは避けられない。【００１９】  さらに、特許文献３記載の構成では、表示灯本体の傾倒角度を所定の角度内で変更しようとすると、回動部材と対向部材との係合状態を一旦解除する必要がある。【００２０】  つまり、回動部材を対向部材（収容空間形成部材）から引き離す方向に手動で移動させることが必須となる。【００２１】  そのため、表示灯本体の傾倒角度調整の際に回動部材と対向部材との間に隙間が生じることは避けられない。【００２２】  したがって、表示灯本体の傾倒角度調整時のみではあるものの、配線経路の一部に相当する回動部材と対向部材との間の隙間から水や油などの液体や塵埃が侵入する原因となっていた。【００２３】  本発明は、上記の課題を解決するもので、表示灯を外部の装置や機構物などの固体物に対して傾倒可能に取り付けることができ、かつ、表示灯本体を起立させた直立状態と、表示灯本体を直立状態から所定角度（例えば、３０度、４５度、９０度など）だけ傾倒させた傾倒状態の、少なくとも２つの状態のいずれにおいても、外部環境とのシール性を確保できる、ブラケットを備えた表示灯を提供することを目的とする。
【課題を解決するための手段】
【００２４】  本発明に係る、ブラケットを備えた表示灯によれば、筒状の支持体と、その支持体が嵌り込む嵌入孔を上方側に有し、その嵌入孔に連通するシール部材を内方側に有するブラケットとを含む、ブラケットを備えた表示灯であって、ブラケットは、筒状の支持体を直立させた直立状態と、筒状の支持体を傾倒させた傾倒状態の少なくとも２つの状態に設定できる構造を有すること、を特徴としている。【００２５】  これにより、支持体が直立状態及び所定の傾倒状態のいずれの場合であっても、筒状の支持体からシール部材に連通する空間（配線経路）を最短で確保できると共に、その空間内へ外部から水や油などの液体や塵埃が侵入するのを防止できる。【００２６】  本発明に係る、ブラケットを備えた表示灯によれば、シール部材は、ブラケットを筒状の支持体が直立状態から傾倒状態へ変化させたときに、傾倒方向に屈曲するような中空の筒体であってもよい。【００２７】  これにより、シール部材は、筒状の支持体が直立状態、傾倒状態及び傾倒角度調整時のいずれの場合であっても、筒状の支持体からシール部材に連通する空間（配線経路）を閉塞することなく確保できる。【００２８】  本発明に係る、ブラケットを備えた表示灯によれば、中空の筒体は、筒状の支持体が直立状態から傾倒状態へ変化するときに屈曲する屈曲部に蛇腹構造を有してもよい。【００２９】  これにより、シール部材は、支持体が直立状態、傾倒状態及び傾倒角度調整時のいずれの場合であっても、筒状の支持体からシール部材に連通する空間（配線経路）を閉塞することなく確保できると共に、屈曲に対する復元性と、傾倒角度調整時におけるシール部材の一時的な伸張に対する復元性のいずれも確保できる。【００３０】  本発明に係る、ブラケットを備えた表示灯によれば、中空の筒体は、単一の部材であって、ブラケットの嵌入孔に嵌挿され、筒状の支持体の下方端と当接するように配置される上端部と、その上端部から下方側へ屈曲部を介して連設され、ブラケットの基台の底面に沿って配置される下端部とを有してもよい。【００３１】  これにより、中空の筒体が単一の部材であるのにもかかわらず、支持体とブラケットとの間、及び、ブラケットと外部の固体との間、のいずれの隙間においても、外部から水や油などの液体や塵埃が侵入するのを防止することができる。【００３２】  すなわち、単一の部材であるにもかかわらず、ブラケットの上下方向において隣接する他の２つの部材（支持体と外部の他の個体）との両方のシール性（封止性）を同時に確保できる。【００３３】  本発明に係る、ブラケットを備えた表示灯によれば、中空の筒体の上端部は、真上から見たときに、上面部に円環状の突条部を有し、中空の筒体の下端部は、ブラケットの基台が外部の固体と当接するように取り付けられたときに、中空の筒体の下端部が、ブラケットの基台に覆われるようにその基台の底面に沿って配置されてもよい。【００３４】  これにより、上端部が支持体の下方端に当接して取り付けられた場合、円環状の突条部がつぶれるように弾性変形するため、その弾性復元力を利用して支持体とブラケットとの間のシール性をより向上できる。
【発明の効果】
【００３５】  本発明によるブラケットを備えた表示灯によれば、表示系ユニットの支持体が直立状態及び傾倒状態のいずれの場合であっても、筒状の支持体からシール部材に連通する空間（配線経路）を最短で確保できると共に、外部からその空間へ水や油などの液体や塵埃が侵入するのを防止できる。
【図面の簡単な説明】
【００３６】
【図１】本発明の実施の形態における表示灯を直立したときの全体斜視図
【図２】本発明の実施の形態における表示灯を９０度傾倒したときの全体斜視図
【図３】本発明の実施の形態におけるブラケットの分解斜視図
【図４】（ａ）ブラケットの直立状態における斜視図、（ｂ）ブラケットの傾倒部を上昇させた状態の斜視図、（ｃ）ブラケットの傾倒部を９０度傾倒した状態における斜視図
【図５】（ａ）ブラケットの直立状態におけるＡＡ断面図、（ｂ）ブラケットの傾倒部が９０度傾倒した状態におけるＢＢ断面図
【図６】（ａ）シール部材の平面図、（ｂ）シール部材の正面図
【図７】（ａ）従来の信号灯の信号灯本体が起立した状態を示す外観図、（ｂ）信号灯本体が倒れた状態を示す外観図、（ｃ）中央部縦断側面図であって信号灯本体と取付台との連結部の拡大図
【発明を実施するための形態】
【００３７】  以下、本発明の実施の形態を説明するために、図面を参照して説明する。
【００３８】  図１は、本発明の実施の形態における表示灯を直立したときの全体斜視図で、図２は、本発明の実施の形態における表示灯を９０度傾倒したときの全体斜視図で、図３は、本発明の実施の形態におけるブラケットの分解斜視図で、図４（ａ）は、ブラケットの直立状態における斜視図で、図４（ｂ）は、ブラケットの傾倒部を上昇させた状態の斜視図で、図４（ｃ）は、ブラケットの傾倒部を９０度傾倒した状態における斜視図で、図５（ａ）は、ブラケットの直立状態におけるＡＡ断面図で、図５（ｂ）は、ブラケットの傾倒部を９０度傾倒した状態におけるＢＢ断面図で、図６（ａ）は、シール部材の平面図で、図６（ｂ）は、シール部材の正面図である。
【００３９】  まず、図１における表示灯１０は、外部の設備に対して直立したときの状態図であるが、ねじ（固定具）がブラケット１６の固定用孔部１６２ｄを介して、外部の設備に螺着されることにより固定されている（外部の設備及びねじ（固定具）は図示せず）。
【００４０】  ここで、表示灯１０は、その上部に、全体としては所謂タワー形状を成し、その下方側に位置する制御系ユニット１１と、上方側に位置するヘッドユニット１２と、両者により中間部分（表示灯１０全体の頭部に相当する部分）に狭装された表示系ユニット１３とを備えている。
【００４１】  また、表示灯１０は、制御系ユニット１１の下方に位置する下部において、内部に中空を有する筒状（ポール形状）の支持体１４が入り込む嵌入孔（図示せず）を下方側に有し、支持体１４が嵌入されて２つのセットビス１５ａで固定された上ブラケット１５と、表示系ユニット１３の複数のグローブ１３ａ〜１３ｅの積層方向（以下、軸方向又はＺ方向と称する）に沿って直線状に延びる筒状の支持体１４と、その支持体１４が嵌り込む嵌入孔１６１ａを上方側に有し、嵌入孔１６１ａに連通するシール部材１６３を内方側に有する傾倒可能なブラケット１６とから構成されている（図３参照）。
【００４２】  ここで、以下の説明を容易にするため、表示灯１０の幅方向をＸ方向、奥行き方向をＹ方向、高さ方向でもある軸方向をＺ方向とし、Ｘ方向、Ｙ方向およびＺ方向は、相互に直交する方向であると定義する。
【００４３】  まず、上部の中間部分に位置する表示系ユニット１３において、クリアのグローブ１３ａ〜１３ｅは、図面上の上下方向（Ｚ方向と一致）に分解可能に５段積み重ねられ、それぞれが表示系ユニット１３の各段（各層）の外周部を構成している。
【００４４】  また、それらグローブ１３ａ〜１３ｅは、いずれも同一の形状であってほぼ円筒形の中空筒状を成している。
【００４５】  そして、グローブ１３ａ〜１３ｅのそれぞれは、内面には内周方向に沿って凹凸面が形成されており、これにより透過した光を軸方向（Ｚ方向、以下同じ）と直交し中心から円周に向かう方向において扇形に拡散するレンズ機能と、外面には軸方向に沿って凹凸面が形成されており、これにより透過した光を軸方向とそれに直交するいずれの方向にも扇形に拡散するレンズ機能とを有している。
【００４６】  さらに、それらを軸方向に沿って５段ならべたシールゴム（図示せず）を介在させて重ねることにより、全体として軸方向に延びた中空筒状のグローブを構成している。
【００４７】  また、各層のグローブ１３ａ〜１３ｅのそれぞれに内蔵される合計５つの光源グループ（図示せず）として、上段から下段へ、赤色、黄色、緑色、青色及び白色等を発光するＬＥＤが複数個ずつ真上又は真下から見て円環状に搭載されている。
【００４８】  また、場合によっては異なる発光色のＬＥＤが同層のグローブ内に混在して搭載されている。
【００４９】  結果として、５つの光源グループは、軸方向に沿って相互に離間して積層され、前述した５つのグローブ１３ａ〜１３ｅから構成されるグローブによって覆われている。
【００５０】  一方、表示系ユニット１３の軸方向における上方に、扁平な円盤状のヘッドユニット１２が隣接配置されている。
【００５１】  他方、表示系ユニット１３の最下層に位置するグローブ１３ｅの下方には、前述した５つの光源グループの発光制御を行う制御系ユニット１１が隣接配置されている。
【００５２】  また、制御系ユニット１１のＹ方向における正面側から見て右側面には、可動部１１ａが配置されて、可動部１１ａの回転中心軸はＸ方向と一致し、軸方向と直角な水平方向（Ｙ方向）にも傾倒可能となっている。
【００５３】  そして、可動部１１ａは、図示しない外部の装置との無線データ通信機能を有するアンテナを内蔵している。
【００５４】  また、制御系ユニット１１の上部には本装置の電源入状態（電源表示）、有線アクセス、有線リンク、無線アクセス及び無線リンクの各表示等のためのインジケータ部１１ｂが配置されている。
【００５５】  さらに、制御系ユニット１１の中央前面側は、一部フラット化され操作パネル部１１ｃを構成し、前面カバーの係止状態を解除し片方のヒンジを支点にして開くと、内蔵された各種スイッチの設定やコンフィグレーション設定用ピンジャックにパソコンなどの外部機器を接続してファームウエアのＵＰ／ＤＯＷＮロードなども可能となっている。
【００５６】  上記の配置により、オペレータは、可動部１１ａの傾倒状態（傾倒角度）を調整しながら、インジケータ部１１ｂの発光状態によりアクセス、リンクの状態を把握できるし、さらには操作パネル部１１ｃの内側も同一視野内において容易に視認できる。
【００５７】  また、制御系ユニット１１のＹ方向における前面側下部には、所定のブザー音を前面側に通過させるため、複数の長孔が外周面に沿って列べられた開口部１１ｄが設けられている。
【００５８】  一方、制御系ユニット１１の内部には、外部の電源ライン（図示せず）から電源コネクタを介し供給された交流電圧を所定の直流電圧に変換し、次段の基板に電圧供給を行うＰＳ基板（図示せず）、信号入出力コネクタを介した外部装置の入力信号に応じて表示系ユニット１３の各層の点灯制御などを行うＩＦ基板（図示せず）、有線入力コネクタを介して接続されたＥｔｈｅｒｎｅｔ（登録商標）などに対応したネットワークケーブルとの入出力処理や無線ＬＡＮ基板（図示せず）との入出力処理、さらにはインジケータ部１１ｂの発光処理やブザー（図示せず）のＯＮ／ＯＦＦ処理などを行うＣＰＵ基板（図示せず）などが実装されている。
【００５９】  上述の通り、表示灯１０の上部の下方側に多くの構成部品を内蔵する制御系ユニット１１を配した。
【００６０】  これにより、表示灯１０を外部の装置や機構物等の固体に搭載する際に必要な取付機構（上ブラケット１５、傾倒可能なブラケット１６、及びその間に配置される筒状の支持体１４等で構成された機構）を経由させて、外部装置との接続に必要な電源ラインやＥｔｈｅｒｎｅｔなどの各種ネットワークケーブルなどをブラケット１６の下方の通し孔１６２ｅに配置されたシール部材１６３の下端部１６３ｃ側から筒状の支持体１４の内側を通しコネクタ経由で制御系ユニット１１に配線を行ったりすることが容易となっている（図５（ａ）参照）。
【００６１】  さらには、表示灯１０は、ライン（ケーブル）接続された外部装置の起動、運転、停止、異常または故障などの装置状態を表示するという基本的な表示に加え、子局としての通信機能を備え、外部装置の状態情報、遠隔式入出力装置を介して得られた計測値情報又はパソコンからのデータ情報等をＰＬＣやＤＣＳなどの親局へ有線ネットワークを介して送信したり、無線通信を利用して子局から送信されたデータ情報を受信してＰＬＣやＤＣＳへの受け渡しを行ったりする装置として機能する。
【００６２】  次に、図２は、例えば表示灯１０の搭載された設備（図示せず）を搬送する際に、前述の直立した主要な構成要素である、表示系ユニット１３、制御系ユニット１１及びそれらを支持する筒状の支持体１４を、ブラケット１６を支点とし正面から見て右側へ９０度だけ傾倒した場合を示した図である。
【００６３】  ここで、ブラケット１６の構成については、詳細に後述するが、表示系ユニット１３、制御系ユニット１１及びそれらを支持する支持体１４を右側へ９０度傾倒するためには、基台１６２の外部装置への固着状態を維持しながら、傾倒部１６１のみを基台１６２に対して直立状態から傾倒状態へと９０度回動させている点が要である（図５（ｂ）参照）。
【００６４】  つまり、表示灯１０をこのように傾倒状態にしておけば、外部の装置や機構物等の固体に取付られた状態であっても、その装置全体の搬送作業の際に装置から外方への突出状態は回避される。
【００６５】  これにより、搬送容易性を確保できるばかりでなく、建家の搬出入口やクレーンなど運搬荷役機械との衝突等の原因による表示灯１０の破損・脱落も防止できる。
【００６６】  次に、図３を参照して、ブラケット１６の全体構成について詳細に説明する。
【００６７】  上述したように、ブラケット１６の基本構成は、上部に位置する傾倒部１６１と、それを傾倒可能に軸支し、かつ、傾倒部１６１の嵌入孔１６１ａに連通するシール部材１６３を内方に有する基台１６２である。
【００６８】  まず、傾倒部１６１は、図示されていない筒状の支持体１４を上方から下方へ向けて嵌入できる嵌入孔１６１ａを有している。
【００６９】  そして、筒状の支持体１４は、嵌入孔１６１ａに嵌入され、更にシール部材１６３の上端部１６３ａの円環状の突条部１６３ａａに所定の押圧力で当接させた後に、上下２本のセットビス１６ａで固定される（図５（ａ）参照）。
【００７０】  一方、傾倒部１６１が基台１６２の上方向きに立設された両保持部に組み合わされた後、両保持部のピン孔１６２ｂに圧入された一対の軸支用ピン１６ｄのそれぞれは、傾倒部１６１の下部に長孔状に形成された軸支孔１６１ｅに嵌入される。
【００７１】  これにより、傾倒部１６１は、傾倒部１６１の回動規制用凸部１６１ｂが基台１６２の両保持部の先端側外周部の内側３カ所に形成された回動規制用凹部１６２ａのいずれかに係合することにより、基台１６２に対して直立状態か又は０度（Ｘ方向における双方向）の傾倒状態のいずれかの任意の傾倒状態で維持される。
【００７２】  そして、上記のいずれかの状態に設定した後に、一対の係止ネジ１６ｂを基台１６２の貫通孔１６２ｃに挿通し、さらに傾倒部１６１の片側３カ所に形成された雌ねじ孔１６１ｄの対応するものに螺合すれば、傾倒部１６１は基台１６２に対して固定される。
【００７３】  なお、一対のリング状キャップ１６ｃは、一対の係止ネジ１６ｂのそれぞれを覆うように設けられ、傾倒角度調整の際に一時的に係止ネジ１６ｂをゆるめた際に脱落・落下することを防止している。
【００７４】  また、シール部材１６３は、上端部１６３ａを上向きにし、基台１６２の下部に形成された通し孔１６２ｅから挿入されるが、挿入後、一対の係止用凸部１６３ｂが傾倒部１６１の一対の係止用孔部１６１ｃに嵌合する。
【００７５】  これにより、傾倒部１６１の嵌入孔１６１ａは、シール部材１６３の中空部（内部空間）と連通し、例えば外部装置と接続されたライン（ケーブル）の配線経路を最短で確保できると共に、その空間へ外部から水や油などの液体や塵埃が侵入するのを防止できる（図５（ａ）参照）。
【００７６】  一方、シール部材１６３の下端部１６３ｃは、基台１６２の底面に沿って配置されるが、詳細には後述する。
【００７７】  次に、図４（ａ）〜（ｃ）を参照して、傾倒部１６１を直立状態から右側へ９０度傾倒した状態へ傾倒角度を設定変更するときの手順を詳細に説明する（筒状の支持体１４は図示を省略する、以下同じ）。
【００７８】  図４（ａ）の状態では、傾倒部１６１は直立状態にあるが、まずリング状キャップ１６ｃの円形開口から六角レンチを挿入し、両側の係止ネジ１６ｂをゆるめ、固定状態を解除する（図３参照）。
【００７９】  このとき、一対のリング状キャップ１６ｃは一対の係止ネジ１６ｂのそれぞれを覆うように設けられているため、一時的にゆるめられた係止ネジ１６ｂが脱落・落下することが防止されている。
【００８０】  次に、図４（ｂ）のように、傾倒部１６１を真上に持ち上げると、傾倒部１６１の回動規制用凸部１６１ｂと、基台１６２の両保持部の先端側外周部に形成された３つの回動規制用凹部１６２ａのうち、中央のそれとの係合が一時的に解除される。
【００８１】  このとき、シール部材１６３は屈曲部１６３ｄ（図５（ａ）、図６（ｂ）参照）に蛇腹構造を有しているため、軸方向において容易に伸張し、シール部材１６３の一対の係止用凸部１６３ｂと傾倒部１６１の一対の係止用孔部１６１ｃとの嵌合状態は、図４（ａ）と同じ程度に維持される。
【００８２】  したがって、支持体１４の下方端１４ａと、シール部材１６３の上端部１６３ａとのシール性（密閉性）も十分に維持される。
【００８３】  そして、図４（ｃ）のとおり、傾倒部１６１の嵌入孔１６１ａを右側に向けると、シール部材１６３がその蛇腹構造により傾倒方向（右方向）に屈曲するが、傾倒部１６１の回動規制用凸部１６１ｂと基台１６２の上方向きに立設された両保持部の先端側外周部の回動規制用凹部１６２ａを係合し、更に一対の係止ネジ１６ｂに対応する雌ねじ孔１６１ｄに螺合すれば、傾倒部１６１は基台１６２に対して固定される。
【００８４】  このように、傾倒部１６１は、蛇腹構造を有するシール部材１６３が傾倒方向に屈曲することにより、傾倒角度調整時だけでなく直立状態から傾倒状態へ変更された後であっても、筒状の支持体１４からシール部材１６３に連通する空間（配線経路）を最短で確保できると共に、その空間へ外部から水や油などの液体や塵埃が侵入するのを防止できる。
【００８５】  また、シール部材１６３は、その蛇腹構造により容易に屈曲するものの、筒状の支持体１４が直立状態又は傾倒状態のいずれの場合にあっても、その支持体１４からシール部材１６３に連通する空間（配線経路）を閉塞することがない。
【００８６】  すなわち、筒状の支持体１４からシール部材１６３に連通する空間（配線経路）を十分に確保することができるため、例えば外部装置と接続されたライン（ケーブル）の配線経路を最短にできる（図５（ａ）、（ｂ）参照）。なお、傾倒部１６１を直立状態から左側へ９０度傾倒した状態へ傾倒角度を設定変更するときの手順については、左右対称の相違のみであるため説明を省略する。
【００８７】  次に、図５（ａ）、（ｂ）を参照して、筒状の支持体１４と、支持体１４が嵌り込む嵌入孔１６１ａを上方側に有し、その嵌入孔１６１ａに連通するシール部材１６３を内方側に有するブラケット１６について詳細に説明する（支持体１４は下方の一部断面のみを図示した、以下同じ）。
【００８８】  ここで、表示灯１０は外部の固体５０の平坦な上面５０ａに取り付けられた状態であるとして説明する。
【００８９】  まず、前述した通り、シール部材１６３は、上端部１６３ａを上向きにし、一対の係止用凸部１６３ｂが傾倒部１６１の一対の係止用孔部１６１ｃに嵌合することにより傾倒部１６１に係止されている。
【００９０】  一方、筒状の支持体１４は、嵌入孔１６１ａに嵌入され、シール部材１６３の上端部１６３ａにその下方端１４ａを所定の押圧力で当接させた後に、上下２本のセットビス１６ａで固定されている。
【００９１】  また、シール部材１６３は、前述したとおり筒状の支持体１４が図５（ａ）に示した直立状態から図５（ｂ）に示した傾倒状態へ変化するように設定したときには、容易に屈曲又は伸張するような中空の筒体である。
【００９２】  すなわち、シール部材１６３は、筒状の支持体１４が直立状態から傾倒状態へ変化するときに傾倒方向に向かって容易に屈曲する屈曲部１６３ｄに、複数段からなる蛇腹構造を有している。
【００９３】  また、シール部材１６３は、単一の部材であって、ブラケット１６の嵌入孔１６１ａに嵌挿され、筒状の支持体１４の下方端１４ａと当接するように配置される上端部１６３ａと、その上端部１６３ａから下方側へ屈曲部１６３ｄを介して連設され、ブラケット１６の底面に沿って配置される下端部１６３ｃとを有している。
【００９４】  そして、シール部材１６３の上端部１６３ａは、真上から見たときに、上面部に２本の円環状の突条部１６３ａａ（図６（ａ）、（ｂ）参照）を有し、シール部材１６３の下端部１６３ｃは、ブラケット１６の基台１６２の外周部が外部の固体５０の上面５０ａと当接するように取り付けられたときに、シール部材１６３の下端部１６３ｃが、ブラケット１６の基台１６２の外周部に覆われるように基台１６２の底面に沿って配置されている。
【００９５】  以上のように、シール部材１６３は蛇腹構造を有することにより、筒状の支持体１４が直立状態又は傾倒状態のいずれの場合であっても、筒状の支持体１４からシール部材１６３に連通する空間（配線経路）を閉塞することなく確保できると共に、屈曲に対する復元性と、支持体の傾倒角度調整時におけるシール部材１６３の伸張に対する復元性のいずれも確保できる。
【００９６】  これにより、例えば外部装置と接続された、ライン（ケーブル）の配線経路を最短にできる（配線経路内に挿通されたライン（ケーブルＣ）を２点鎖線により図示した）。
【００９７】  また、シール部材１６３は、支持体１４とブラケット１６との間、及び、ブラケット１６と外部の固体５０の上面５０ａとの間、のいずれの隙間においても、外部から水や油などの液体や塵埃が侵入するのを防止することができる。
【００９８】  すなわち、シール部材１６３は、単一であるにもかかわらず、ブラケット１６の上下方向において隣接する他の２つの部材（支持体１４と外部の個体５０）との両方のシール性（封止性）を同時に確保できる。
【００９９】  ここで、例えばシール部材１６３の下端部１６３ｃの軸方向の厚みを、固体５０の上面５０ａとブラケット１６の底面との間隔よりも０．１ｍｍ〜０．６ｍｍの範囲で少し大きめに設定すれば、よりシール性が向上する。
【０１００】  次に、図６（ａ）、（ｂ）を参照して、シール部材１６３の構成について詳細に説明する。
【０１０１】  ここで、シール部材１６３の中央側の上部には、ブラケット１６の基台１６２の下部に形成された通し孔１６２ｅ（図３参照）から挿入され、挿入が終了した時点では、嵌入孔１６１ａの下部の内周に沿って嵌り込むように、真上から見てリング状の上端部１６３ａが形成されている。
【０１０２】  また、上端部１６３ａから下方側へは、蛇腹構造を有している屈曲部１６３ｄを介して、ブラケット１６の基台１６２の底面に沿って配置される下端部１６３ｃが連設されている。
【０１０３】  これにより、シール部材１６３は、支持体１４とブラケット１６との間、及び、ブラケット１６と外部の固体５０の上面５０ａとの間、のいずれの隙間においても、外部から水や油などの液体や塵埃が侵入するのを防止することができる。
【０１０４】  すなわち、単一のシール部材１６３であるにもかかわらず、ブラケット１６の上方に位置する支持体１４とブラケット１６の下方に位置する外部の固体５０とのシール性（封止性）の両方を同時に確保できる（図５（ａ）、（ｂ）参照）。
【０１０５】  また、真上から見たときに、上端部１６３ａの上面部に２本の円環状の突条部１６３ａａが同心円状に形成されており、前述したように支持体１４の下方端１４ａが上端部１６３ａに当接して取り付けられた場合（図５（ａ）参照）、それらの突条部１６３ａａがつぶれるように弾性変形するため、その弾性復元力を利用して支持体１４とブラケット１６との間のシール性をより向上できる。
【０１０６】  ここで、２本の円環状の突条部１６３ａａの高さｈは、上端部１６３ａの上面に対して例えば０．５ｍｍ〜１．０ｍｍの範囲に設定すれば、上述した弾性変形がより得やすい。
【０１０７】  なお、本発明の技術的範囲は、上述した実施の形態に限定されるものでなく、請求項に示した範囲で種々の変形が可能であり、異なる実施の形態にそれぞれ開示された技術的な手段を適宜組み合わせて得られる実施の形態の変形例についても本発明の技術的範囲に含まれるものとする。
【０１０８】  例えば、シール部材１６３の素材としては、天然ゴム、クロロプレンゴム（ネオプレン）、エチレンプロピレンゴム、ニトリルゴム（ハイカー）、ウレタンゴム、シリコーンゴム等の、所望の弾力性だけでなく、加工性、耐衝撃性、耐候性、耐薬品性、耐熱性等の要求に応じて適宜選択すればよく、またそれらに限定されるものではない。
【０１０９】  同様に、傾倒部１６１を、直立状態とＸ方向における右側へ９０度傾倒した場合で説明したが、傾倒角度は、例えば、３０度、４５度など別の任意角度に設定してもよいし、Ｘ方向又はＹ方向におけるいずれか一方のみに傾倒するように設定してもよい。
【０１１０】  また、表示灯が外部の装置や機構物等の固体に設置された場合、特にその固体が例えば搬送装置や半導体実装装置（ダイマウンタやチップマウンタ等の各種製造装置）であるとき、それらの装置から発生する機械的な振動が下部の傾倒可能な取付機構を経由して上部の制御系ユニット１１や表示系ユニット１３へ伝達される。
【０１１１】  そのため、ブラケット１６や筒状の支持体１４の素材については、それぞれ耐震性を考慮した剛性や耐衝撃性を有する素材が好ましいが、更に加工性、耐候性、耐薬品性、耐熱性及び耐久性等を有する樹脂や金属等の素材であることがより好ましい。
【０１１２】  また、ブラケット１６を備えた表示灯１０が、外部の固体５０の水平方向にひろがる上面５０ａ側に取り付けられ、その軸方向が重力方向と一致する場合において、反重力方向を上方とし、重力方向を下方と定義して説明したが、ブラケット１６を備えた表示灯１０が外部の固体の鉛直面（垂直面）側に取り付けられた場合は、上下方向を水平方向として解釈するものとする。
【０１１３】  また、表示系ユニットとしては、５色５灯（５層）の場合について説明したが、単層（１色１灯）〜４層、あるいは６層以上でもよく、少なくとも連通部を有する単一の柱状体がグローブの内方（中心には限定されない）に配置されればよい。
【０１１４】  また、複数の光源グループの内の相互に隣接する２層以上の光源グループが、各層毎に分離可能なグローブで覆われた場合について説明したが、それら全層を分離できない単一のグローブで覆われた構成でもよいし、２層以上に亘って部分的に覆われた構成でもよい。
【０１１５】  例えば、各光源グルーブのＬＥＤの発光色を相互に異ならせれば、着色しないクリアの単一のグローブでそれらを覆うことができるため、グローブの層間のシール部材などの境界部が不要となり、部品数も大きく削減できる。
【０１１６】  併せて、グローブが複数の層に亘って単一なので中空の密閉性をより向上できる。
【０１１７】  また、各層のグローブをクリアではなく、それ自体に着色を施してもよい。
【０１１８】  さらに、制御系ユニットは、外部の装置からヘッドユニットを介して受信したデータに基づいて表示系ユニットの光源グループの点灯制御を行うような設計としてもよい。
【０１１９】  これにより、離間配置された外部の装置であっても、その起動、運転、待機、異常などの各種状態に応じてそれぞれの光源グループの点灯、消灯、点滅を含む各種の点灯制御を安定して実現できるので、オペレータがその装置状態を容易に把握できる。
【０１２０】  以上のように、本発明に係る、ブラケットを備えた表示灯は、表示系ユニットを外部の装置や機構物等の固体に対して傾倒可能に設置する装置として有用である。
【符号の説明】
【０１２１】１０  表示灯
１１  制御系ユニット
１１ａ  可動部
１１ｂ  インジケータ部
１１ｃ  操作パネル部
１１ｄ  開口部
１２  ヘッドユニット
１３  表示系ユニット
１３ａ、１３ｂ、１３ｃ、１３ｄ、１３ｅ  グローブ
１４  支持体
１４ａ  下方端
１５  上ブラケット
１５ａ  セットビス
１６  ブラケット
１６ａ  セットビス
１６ｂ  係止ネジ
１６ｃ  リング状キャップ
１６ｄ  軸支用ピン
１６１  傾倒部
１６１ａ  嵌入孔
１６１ｂ  回動規制用凸部
１６１ｃ  係止用孔部
１６１ｄ  雌ねじ孔
１６１ｅ  軸支孔
１６２  基台
１６２ａ  回動規制用凹部
１６２ｂ  ピン孔
１６２ｃ  貫通孔
１６２ｄ  固定用孔部
１６２ｅ  通し孔
１６３  シール部材
１６３ａ  上端部
１６３ａａ  突条部
１６３ｂ  係止用凸部
１６３ｃ  下端部
１６３ｄ  屈曲部
５０  外部の固体
５０ａ  上面
ｈ  突条部の高さ
Ｃ  ケーブル
【要約】
【課題】  表示灯本体が直立状態又は傾倒状態のいずれの場合であっても、その筒状の支持体からシール部材に連通する空間（配線経路）を最短で確保できると共に、外部からその空間へ水や油などの液体や塵埃が侵入するのを防止する。
【解決手段】  表示灯１０は、上方側に位置するヘッドユニット１２と、その下方側に位置する制御系ユニット１１と、両者により中間部分に狭装された表示系ユニット１３を支持する筒状の支持体１４と、その支持体１４が嵌り込む嵌入孔１６１ａを上方側に有し、嵌入孔１６１ａに連通するシール部材１６３を内方側に有する、傾倒可能なブラケット１６とから構成されている。
【選択図】図１【図１】
0005857354.tif 000002
【図２】
0005857354.tif 000003
【図３】
0005857354.tif 000004
【図４】
0005857354.tif 000005
【図５】
0005857354.tif 000006
【図６】
0005857354.tif 000007
【図７】
0005857354.tif 000008